(57)【要約】      （修正有）【課題】コア中脚部から一次巻線の巻始め側の端末を離間させることが可能なトランスボビンおよびトランスを提供する。【解決手段】中筒部６３、下鍔部６２および上鍔部６１から構成される巻枠部６６を備えるトランスボビン６０Ａであって、端子台部６５および下鍔部６２を切り欠くと共に中筒部６３側に向かう中心接離方向に延伸するスリット部６７が設けられていて、スリット部６７には、中筒部６３から離間する側よりも中筒部６３側の方が下鍔部６２側に位置しているガイド壁面６８ａが設けられている。【選択図】図５
2015220269.tif 000002
【特許請求の範囲】
【請求項１】
コア部が挿通される挿通孔を有する中筒部と、
前記中筒部の軸線中心から離間する方向に突出して設けられると共に、当該中筒部のうち実装基板に実装される側に位置する下鍔部と、
前記中筒部の軸線中心から離間する方向に突出して設けられると共に、当該中筒部のうち前記実装基板から離間する側に位置する上鍔部と、
前記下鍔部と一体的または別体的に設けられると共に、端子部材を支持する端子台部と、
を有し、さらに中筒部、下鍔部および上鍔部から構成される巻枠部を備えるトランスボビンであって、
前記端子台部および前記下鍔部を切り欠くと共に前記中筒部側に向かう中心接離方向に延伸するスリット部が設けられていて、
前記スリット部には、前記中筒部から離間する側よりも前記中筒部側の方が前記下鍔部側に位置しているガイド壁面が設けられている、
ことを特徴とするトランスボビン。
【請求項２】
請求項１記載のトランスボビンであって、
前記ガイド壁面は、前記下鍔部よりも前記実装基板側に突出しているガイド壁部に設けられている、
ことを特徴とするトランスボビン。
【請求項３】
請求項１記載のトランスボビンであって、
前記端子台部のうち前記実装基板と対向する対向面側には、当該対向面よりも前記実装基板から離間する側に向かい窪むと共に、前記巻枠部に巻回される導線を前記端子部材にガイドするためのガイド溝部が設けられている、
ことを特徴とするトランスボビン。
【請求項４】
請求項１または２記載のトランスボビンであって、
前記ガイド壁面のうち、前記中心接離方向において前記中筒部から離間する端部である外端部は、前記実装基板から離間する基板接離方向において前記ガイド溝部の溝底面の位置よりも前記実装基板側に位置している、
ことを特徴とするトランスボビン。
【請求項５】
請求項４記載のトランスボビンであって、
前記ガイド壁部のうち、前記中筒部から離間する側には、前記実装基板から離間する基板接離方向に延伸すると共に前記外端部と接続される外側ストレート壁面が設けられていて、
前記外側ストレート壁面のうち、前記基板接離方向において前記実装基板から離間する端部側の位置は、前記基板接離方向における前記ガイド溝部の溝底面の位置よりも、前記実装基板側に位置し、
かつ前記外側ストレート壁面の前記中心接離方向における位置は、前記ガイド溝部のうち前記スリット部に面しかつ前記中筒部側の隅部の位置よりも、前記中筒部側に位置している、
ことを特徴とするトランスボビン。
【請求項６】
請求項５記載のトランスボビンであって、
前記外側ストレート壁面のうち前記実装基板から離間する端部側の位置と、前記ガイド溝部の溝底面の位置との間の距離であって、前記基板接離方向における距離は、前記導線の直径の１〜３倍に設けられている、
ことを特徴とするトランスボビン。
【請求項７】
請求項１から６のいずれか１項に記載のトランスボビンであって、
前記ガイド壁面のうち前記中筒部側の内側端部は、前記下鍔部のうち前記巻枠部側から離間していると共に、当該内側端部と前記下鍔部の前記巻枠部側の間には、前記中筒部の外面に沿う内側ストレート壁面が存在している、
ことを特徴とするトランスボビン。
【請求項８】
請求項１から７のいずれか１項に記載のトランスボビンを用いるトランスであって、
前記巻枠部に配置されると共に前記中筒部側に位置する一次巻線と、
前記巻枠部に配置されると共に前記一次巻線の外側に位置する二次巻線と、
を具備することを特徴とするトランス。
【発明の詳細な説明】
【技術分野】
【０００１】
本発明は、各種の電子機器に用いられるトランス用のトランスボビンおよびトランスに関する。
【背景技術】
【０００２】
各種のトランスの中には、特許文献１に示すような構成が存在している。特許文献１には、一次巻線と二次巻線とが同心円状に巻回されているトランスが開示されている。具体的には、ボビン１０には、端子２０が埋め込まれたベース部１１と、ベース部１１の中央から上方に突出する円筒形の巻軸１２とが設けられている。この特許文献１においては、スリット１４を通してボビン１０の下側にリード線を配置し、その配置後、巻軸１２に巻回を行うことで、一次巻線（内側巻線３０）が巻軸１２に配置される構成となっている。
【先行技術文献】
【特許文献】
【０００３】
【特許文献１】実開平６−３１１２５号公報
【発明の概要】
【発明が解決しようとする課題】
【０００４】
ところで、特許文献１に開示の構成においては、一次巻線の巻始め側および巻終わり側が、二次巻線と近接した状態で配置されていると、放電等が生じる場合があるので、好ましくない。そのため、一次巻線の巻始め側は、ボビン１０の最も底面側か、またはそれに近い部分に沿わせて、二次巻線側と離すように配置するようにするのが通常である。その場合、一次巻線の巻始め側は、ボビン１０の円筒形の巻軸１２の下端側から上方に向かって巻軸１２に沿うような配置となる。
【０００５】
しかし、このような配置とする場合、一次巻線の巻始め側は、Ｅ形コア７０に近接してしまう。その場合、一次巻線の巻始め側は、Ｅ形コア７０に対して、円筒形の巻軸１２の厚み分しか離されない状態となる。すると、一次巻線の巻始め側は、Ｅ形コア７０に近づき過ぎてしまい、放電等が生じてしまう場合がある。
【０００６】
本発明は、かかる問題に鑑みてなされたものであり、その目的とするところは、コア中脚部から一次巻線の巻始め側の端末を離間させることが可能なトランスボビンおよびトランスを提供しよう、とするものである。
【課題を解決するための手段】
【０００７】
上記課題を解決するために、本発明のトランスボビンは、コア部が挿通される挿通孔を有する中筒部と、中筒部の軸線中心から離間する方向に突出して設けられると共に、当該中筒部のうち実装基板に実装される側に位置する下鍔部と、中筒部の軸線中心から離間する方向に突出して設けられると共に、当該中筒部のうち実装基板から離間する側に位置する上鍔部と、下鍔部と一体的または別体的に設けられると共に、端子部材を支持する端子台部と、を有し、さらに中筒部、下鍔部および上鍔部から構成される巻枠部を備えるトランスボビンであって、端子台部および下鍔部を切り欠くと共に中筒部側に向かう中心接離方向に延伸するスリット部が設けられていて、スリット部には、中筒部から離間する側よりも中筒部側の方が下鍔部側に位置しているガイド壁面が設けられている、ことを特徴としている。
【０００８】
また、本発明のトランスボビンの他の側面は、上述の発明に加えて更に、ガイド壁面は、下鍔部よりも実装基板側に突出しているガイド壁部に設けられている、ことが好ましい。
【０００９】
さらに、本発明のトランスボビンの他の側面は、上述の発明に加えて更に、端子台部のうち実装基板と対向する対向面側には、当該対向面よりも実装基板から離間する側に向かい窪むと共に、巻枠部に巻回される導線を端子部材にガイドするためのガイド溝部が設けられている、ことが好ましい。
【００１０】
また、本発明のトランスボビンの他の側面は、上述の発明に加えて更に、ガイド壁面のうち、中心接離方向において中筒部から離間する端部である外端部は、実装基板から離間する基板接離方向においてガイド溝部の溝底面の位置よりも実装基板側に位置している、ことが好ましい。
【００１１】
さらに、本発明のトランスボビンの他の側面は、上述の発明に加えて更に、ガイド壁部のうち、中筒部から離間する側には、実装基板から離間する基板接離方向に延伸すると共に外端部と接続される外側ストレート壁面が設けられていて、外側ストレート壁面のうち、基板接離方向において実装基板から離間する端部側の位置は、基板接離方向におけるガイド溝部の溝底面の位置よりも、実装基板側に位置し、かつ外側ストレート壁面の中心接離方向における位置は、ガイド溝部のうちスリット部に面しかつ中筒部側の隅部の位置よりも、中筒部側に位置している、ことが好ましい。
【００１２】
また、本発明のトランスボビンの他の側面は、上述の発明に加えて更に、外側ストレート壁面のうち実装基板から離間する端部側の位置と、ガイド溝部の溝底面の位置との間の距離であって、基板接離方向における距離は、導線の直径の１〜３倍に設けられている、ことが好ましい。
【００１３】
さらに、本発明のトランスボビンの他の側面は、上述の発明に加えて更に、ガイド壁面のうち中筒部側の内側端部は、下鍔部のうち巻枠部側から離間していると共に、当該内側端部と下鍔部の巻枠部側の間には、中筒部の外面に沿う内側ストレート壁面が存在している、ことが好ましい。
【００１４】
また、本発明のトランスの一側面は、上述した各発明に係るトランスボビンを用いると共に、さらに、巻枠部に配置されると共に中筒部側に位置する一次巻線と、巻枠部に配置されると共に一次巻線の外側に位置する二次巻線と、を具備することが好ましい。
【発明の効果】
【００１５】
本発明によると、コア中脚部から一次巻線の巻始め側の端末を離間させることが可能となる。
【図面の簡単な説明】
【００１６】
【図１】第１の実施の形態に係るトランスの全体構成を示す斜視図である。
【図２】図１のトランスの構成を示す側面断面図である。
【図３】図１のトランスのＥ形コアの形状を示す斜視図である。
【図４】図１のトランスのＸ方向の中心において、ＹＺ平面で切断した状態を示す半断面状態の斜視図である。
【図５】図１のトランスのトランスボビンを上方側から見たときの構成を示す斜視図である。
【図６】図１のトランスのトランスボビンを下方側から見たときの状態を示す斜視図である。
【図７】図１のトランスのガイド溝部とガイド壁面の外端部側の位置関係を拡大して示す部分的な断面図である。
【図８】図１のトランスを底面側から見た状態を示す底面図である。
【図９】第２の実施の形態に係るトランスの構成を示す側面断面図である。
【発明を実施するための形態】
【００１７】
（第１の実施の形態）
以下、本発明の第１の実施の形態に係る、トランス１０Ａおよびトランスボビン６０Ａについて、図面を参照しながら説明する。
【００１８】
なお、以下の説明においては、ＸＹＺ直交座標系を用いて説明することがある。そのうち、Ｘ方向はトランスボビン６０Ａのうち一対の端子台部６５を結ぶ方向とし、Ｘ１側は図１において右手前側とし、Ｘ２側は図１において左奥側とする。また、Ｙ方向はＸ方向に直交すると共にＥ形コア２０および蓋コア３０の長手方向とし、Ｙ１側は図１において右奥側とし、Ｙ２側は図１において左手前側とする。また、Ｚ方向はトランス１０Ａの厚み方向とし、Ｚ１側は図１における上側とし、Ｚ２側は図１における下側とする。
【００１９】
＜トランス１０Ａの全体構成について＞
図１は、トランス１０Ａの全体構成を示す斜視図である。図２は、トランス１０Ａの構成を示す側面断面図である。図１および図２に示すように、トランス１０Ａは、Ｅ形コア２０と、蓋コア３０と、一次巻線４０と、二次巻線５０と、を有し、これらがトランスボビン６０Ａに取り付けられている。
【００２０】
図１および図２に示すように、Ｅ形コア２０は、蓋コア３０よりも下方側（Ｚ２側）に位置している。図３は、Ｅ形コア２０の形状を示す斜視図である。図４は、トランス１０ＡのＸ方向の中心において、ＹＺ平面で切断した状態を示す半断面状態の斜視図である。図３および図４に示すように、Ｅ形コア２０は、コア底部２１と、コア中脚部２２と、コア端面部２３とを有していて、側面視したときの形状がＥ形となるように設けられている。これら各部位のうち、コア底部２１は、Ｙ方向に長く設けられていて、そのコア底部２１の長手方向（Ｙ方向）の中央部分にコア中脚部２２が上方側（Ｚ１側）に向かうように設けられている。
【００２１】
また、コア中脚部２２は、Ｅ形コア２０の長手方向（Ｙ方向）よりもＥ形コア２０の短手方向（Ｘ方向）に長く設けられている。それにより、コア中脚部２２の外周側には、トランスボビン６０Ａの中筒部６３を介して、一次巻線４０が配置され、さらにその一次巻線４０の外側に二次巻線５０が配置される。なお、コア中脚部２２は、コア部に対応する。
【００２２】
また、図３および図４に示すように、コア端面部２３は、Ｅ形コア２０の長手方向（Ｙ方向）の両端側にそれぞれ設けられている。このコア端面部２３は、コア底部２１から上方側（Ｚ１側）に向かうように突出している。また、コア端面部２３は、コア底部２１の幅方向（Ｘ方向）の全体に亘って設けられている。ただし、コア端面部２３の内周壁部は平面状には設けられておらず、その内周壁部の幅方向（Ｘ方向）の中央側よりも端部側の方が中央側に向かって若干突出するような形状に設けられており、二次巻線５０との間の隙間が低減されるようにしている。
【００２３】
また、コア底部２１の長手方向（Ｙ方向）の中央部分には、切欠部２４が設けられている。切欠部２４は、コア底部２１の幅方向（Ｘ方向）に沿って、当該コア底部２１を切り欠いた部分であり、幅方向（Ｘ方向）の両端側からコア中脚部２２に向かうように窪んでいる部分である。この切欠部２４には、後述するトランスボビン６０Ａの中筒部６３に導線を導くためのガイド壁部６８が位置する。
【００２４】
なお、コア中脚部２２のＹ方向における中央部分と、切欠部２４のＹ方向における中央部分とは、図２に示すように上下方向（Ｚ方向）において同一直線上に位置することが好ましい。すなわち、上述のように面一ではなく切欠部２４側がコア中脚部２２に食い込むように形成される場合には、コア中脚部２２での磁路の断面積が減じられてしまう。また、上述のように面一ではなく切欠部２４がコア中脚部２２に食い込まずに切欠部２４の窪みが小さい場合には、後述するガイド壁部６８が薄肉化されてしまう。しかし、図２に示すように、コア中脚部２２のＹ方向における中央部分と、切欠部２４のＹ方向における中央部分とが上下方向（Ｚ方向）において同一直線上に位置する場合には、コア中脚部２２での磁路の断面積が減じられることなく、かつ後述するガイド壁部の肉厚を最大化させることができる。また、トランスボビン６０Ａの中筒部６３の内壁側を面一とすることができ、トランスボビン６０Ａの製造が行い易くなる。
【００２５】
なお、図２に示すように、磁気飽和を防ぐために、コア端面部２３の上端面の高さは、コア中脚部２２の上端面の高さよりも高く設けられている。そのため、コア端面部２３は、蓋コア３０と当接するが、コア中脚部２２は、蓋コア３０と当接しない構成が好ましい。しかしながら、大電流を使用せず、そのため磁気飽和への心配がない限り、コア端面部２３の上端面の高さを、コア中脚部２２の上端面の高さと同じ高さとしても良い。
【００２６】
また、磁気飽和を防ぐために、それぞれのコア端面部２３の上端面の高さは、コア中脚部２２の上端面の高さより低く設けられていても良い。このとき、それぞれのコア端面部２３と蓋コア３０との間に、合計二つのギャップが形成される。そのため、たとえ大電流を流しても、磁気飽和しにくいという特徴がある。勿論、このギャップは空気ギャップでも良いし、非磁性かつ非導体である材料からなるスペーサを用いて、ギャップを形成しても良い。スペーサを用いる場合、空気ギャップに比べて、蓋コア３０とＥ形コア２０のコア中脚部２２との位置を精度良く定めることができ、更に、蓋コア３０がＥ形コア２０に対してガタ付くという問題をなくすことができる。なお、スペーサを用いる場合、コア中脚部２２と蓋コア３０との間にギャップが形成されても良い。
【００２７】
さらに、本実施の形態に係るトランス１０Ａの小型化を図ることができるように、一枚の平らな板状スペーサを用いても良い。この場合、このスペーサが蓋コア３０とＥ形コア２０との間に設けるようにする。すると、そのスペーサの上面が蓋コア３０の下面と接し、またそのスペーサの下面がＥ形コア２０のコア中脚部２２の上端面及びコア端面部２３の上端面と接する。この構造によれば、たとえ本実施例のトランス１０Ａの小型化につれてコア中脚部２２の上端面またはコア端面部２３の上端面の面積が小さくなっても、精密な磁気ギャップを形成することができる。なお、コア端面部２３が接触する部位とコア中脚部２２が接触する部位とで、スペーサの板厚を変えるようにしても良いが、同じ板厚としても良い。
【００２８】
また、蓋コア３０は、図１および図２に示すような、板状のコア部材であり、Ｅ形コア２０のコア端面部２３と突き合わされる。そして、蓋コア３０は、コア中脚部２２とは、磁気飽和を防ぐためのギャップを有して対向する。しかしながら、大電流を使用せず、そのため磁気飽和への心配がない限り、蓋コア３０がコア中脚部２２と直接突き合わされる構成を採用しても良い。
【００２９】
また、図２には空気ギャップの例が示されているが、蓋コア３０とＥ形コア２０のコア中脚部２２との位置を精密に定め、更に、ガタ付きが生じるという問題をなくすためには、非磁性かつ非導体である材料からなるスペーサを用いることもできる。この場合、例えば、エポキシ樹脂からなる一定の高さを有する柱状の部材を用いることができる。
【００３０】
なお、Ｅ形コア２０および蓋コア３０は、それらの材質を磁性材としているが、磁性材としては、例えば、ニッケル系のフェライトまたはマンガン系のフェライト等の種々のフェライト、パーマロイ、センダスト等、各種の磁性材料および各種の磁性材料の混合物を用いることが可能である。
【００３１】
次に、一次巻線４０および二次巻線５０について説明する。一次巻線４０は、導線４１（図２参照）の巻始め側を後述するトランスボビン６０Ａの中筒部６３に接触させる状態で巻回を開始して形成される。そして、導線４１の巻回の進行により、一次巻線４０は、導線４１が外周側に向かって複数層積層された状態となっている。そのため、一次巻線４０の巻終わり側は、巻始め側よりも外周側に位置している。
【００３２】
また、二次巻線５０は、導線４１の巻始め側を、一次巻線４０の外周に接触させる状態で巻回を開始して形成される。そして、導線４１の巻回の進行により、二次巻線５０も、導線４１が外周側に向かって複数層積層された状態となっており、その巻終わり側は、巻始め側よりも外周側に位置している。そして、これら一次巻線４０と二次巻線５０との間では、電磁誘導を利用して電圧を変換可能としている。
【００３３】
＜トランスボビン６０Ａについて＞
次に、トランスボビン６０Ａについて説明する。図５は、トランスボビン６０Ａを上方側から見たときの構成を示す斜視図である。図６は、トランスボビン６０Ａを下方側から見たときの状態を示す斜視図である。トランスボビン６０Ａは、端子部材７０を金型内部に配置して、金型内部に溶融した樹脂を注入する、インサート成型によって形成されている。ただし、トランスボビン６０Ａは、予め端子部材７０を差し込みための穴部を有する形状として、インサート成型を行わずに形成しても良い。図２、図５および図６に示すように、トランスボビン６０Ａは、上鍔部６１と、下鍔部６２と、中筒部６３と、上方掛止部６４と、端子台部６５とを有している。
【００３４】
上鍔部６１、下鍔部６２および中筒部６３は、一次巻線４０および二次巻線５０が位置する巻枠部６６を構成する。これらのうち、上鍔部６１は、巻枠部６６のうち上方側に位置する鍔状の部分である。また、下鍔部６２は、巻枠部６６のうち下方側に位置する鍔状の部分である。なお、上鍔部６１および下鍔部６２は、中筒部６３の軸線中心から離間する方向に突出している。
【００３５】
また、中筒部６３は、巻枠部６６のうち上鍔部６１と下鍔部６２とを連結する筒状の部分である。そして、この中筒部６３の内周側には、挿通孔６３ａが設けられていて、その挿通孔６３ａには、Ｅ形コア２０のコア中脚部２２が挿通される。また、中筒部６３の外周側には、一次巻線４０および二次巻線５０が配置される。なお、本実施の形態では、中筒部６３は、平面視したときの形状が長楕円形状に設けられている。
【００３６】
また、上方掛止部６４は、上鍔部６１のＸ方向の両端側から上方側（Ｚ１側）に向かい突出している部分である。図１、図２および図４に示すように、上鍔部６１の上方側（Ｚ１側）には、蓋コア３０が位置しているが、その蓋コア３０の幅方向（Ｙ方向）における位置決めを行うために、上方掛止部６４が設けられている。なお、図５および図６に示すように、上鍔部６１および下鍔部６２の外周縁部は、一次巻線４０および二次巻線５０に倣うように湾曲している。しかし、上方掛止部６４は、蓋コア３０の位置決めを行う関係上、Ｙ方向に長い長方形状に設けられている。
【００３７】
また、端子台部６５は、下鍔部６２のＸ方向の両端側から下方側（Ｚ２側）に向かい突出している部分である。この端子台部６５には、複数の端子部材７０の一部が内挿されている。端子部材７０は、金属製であり、端子台部６５の付け根側に導線４１の端末（スタート端末４１ａを含む）を絡げて当該導線４１と電気的に接続可能としている。また、端子部材７０の下方には、実装端子部７１が設けられていて、この実装端子部７１が外部の実装基板等と電気的に接続される。
【００３８】
ここで、図６に示すように、端子台部６５の下方側には、ガイド溝部６５１が設けられている。ガイド溝部６５１は、端子台部６５の下面（対向面）側から所定深さだけ上方に向かうように窪ませた部分である。このガイド溝部６５１は、Ｙ方向の中央に位置するスリット部６７から端子台部６５のＹ１側の端部に亘るように設けられている。また、ガイド溝部６５１は、Ｙ１側の端子部材７０の付け根部分にも差し掛かっている。ガイド溝部６５１とＹ１側の端子部材７０の付け根部分との間には、傾斜部６５２が設けられている。このため、Ｙ１側の端子部材７０に絡げられる導線４１の端末を一層良好にガイドすることが可能となっている。
【００３９】
また、下鍔部６２および端子台部６５の長手方向（Ｙ方向）の中央部分には、スリット部６７が設けられている。スリット部６７は、端子台部６５のうちＸ方向における外側から、中筒部６３側（トランスボビン６０Ａの中央側）に向かうように端子台部６５を切り欠いた部分である。また、スリット部６７は、上述したガイド溝部６５１と接続されている。なお、スリット部６７が延伸するＸ方向は、中心接離方向に対応する。
【００４０】
図２に示すように、トランスボビン６０Ａのうち、スリット部６７の奥側（トランスボビン６０Ａの中央側）には、ガイド壁部６８が設けられている。図６に示すように、ガイド壁部６８は、トランスボビン６０Ａのうち端子台部６５よりも挿通孔６３ａに位置していて、このガイド壁部６８が、Ｅ形コア２０の切欠部２４に位置する部分となっている。すなわち、ガイド壁部６８は、下鍔部６２よりも下方に突出している。また、ガイド壁部６８には、トランスボビン６０Ａのうち端子台部６５の外側からトランスボビン６０Ａの中央側に向かうにつれて、上方に向かうようなテーパ状のガイド壁面６８ａが設けられている。
【００４１】
ここで、図２に示すように、ガイド壁面６８ａの中筒部６３側（すなわち上方側）の付け根は、巻枠部６６の内周側の隅部か、またはその付近となっている。そのため、一次巻線４０の巻始め側の端末（スタート端末４１ａとする）は、巻枠部６６に入る前の下方側の部位では、ガイド壁面６８ａによって、挿通孔６３ａに位置するコア中脚部２２から離間されている。すなわち、一次巻線４０のスタート端末４１ａは、ガイド壁面６８ａによって支持されることで、そのスタート端末４１ａがコア中脚部２２に近づくのを防いでいる。特に、スタート端末４１ａが緩んだままの状態であっても、ガイド壁面６８ａによってスタート端末４１ａがコア中脚部２２に近づくのが防止されている。そのため、巻枠部６６よりも下方側の部位において、スタート端末４１ａがコア中脚部２２に近づいて配置される場合のような、放電等の不具合が生じるのを防止可能となっている。
【００４２】
しかしながら、スタート端末４１ａが二次巻線５０に近接してしまうと、スタート端末４１ａと二次巻線５０との間で放電等の不具合が生じてしまう。そのため、ガイド壁面６８ａは、二次巻線５０から離れるように水平方向（図２におけるＸ方向）に対しては十分な傾斜角度を有していて、スタート端末４１ａを支持した場合でも、そのスタート端末４１ａを二次巻線５０から十分に離間させることを可能としている。なお、ガイド壁面６８ａの傾斜角度の一例としては、たとえば４５度とするものがあるが、３０度〜６０度の間の任意の傾斜角度とすることが好ましい。
【００４３】
また、ガイド壁部６８には、ガイド壁面６８ａの他に、外側ストレート壁面６８ｂも設けられている。外側ストレート壁面６８ｂは、ガイド壁面６８ａのうち、挿通孔６３ａから離間した外側の端部（外端部）と連続するように設けられている。また、外側ストレート壁面６８ｂは、上下方向（Ｚ方向）に沿って延伸するように設けられている。外側ストレート壁面６８ｂは、さほど長くは設けられておらず、この外側ストレート壁面６８ｂを省略する構成を採用しても良い。
【００４４】
図７は、ガイド溝部６５１とガイド壁面６８ａの外端部（中筒部６３から離れる側の端部）の位置関係を拡大して示す部分的な断面図である。図２および図７に示すように、外側ストレート壁面６８ｂの上端側の高さ位置は、ガイド溝部６５１の溝底面６５１ａの高さ位置に対して、少なくともスタート端末４１ａの直径以上である距離Ｌだけ低くなるように設けられている。また、外側ストレート壁面６８ｂは、隅部６５１ｂよりも内側（挿通孔６３ａ側）に位置している。そのため、スタート端末４１ａは、ガイド溝部６５１のうちスリット部６７に開口している部位の内側（挿通孔６３ａ側）の隅部６５１ｂを、曲げ部位としている。すなわち、隅部６５１ｂは、スタート端末４１ａの引っ掛け部位となっている。
【００４５】
また、上述のような位置関係の外側ストレート壁面６８ｂと隅部６５１ｂを設けることにより、スタート端末４１ａは、隅部６５１ｂ付近で比較的緩やかに曲げる構成とすることができる。そのため、たとえば外側ストレート壁面６８ｂの上端側の高さ位置が溝底面６５１ａの高さ位置よりも高い構成等と比較して、スタート端末４１ａに急激な折り曲げ箇所が形成されるのを防ぐことができ、スタート端末４１ａの断線等が生じるのを防止可能となる。
【００４６】
なお、外側ストレート壁面６８ｂの上端側の高さ位置は、ガイド溝部６５１の溝底面６５１ａの高さ位置に対して、スタート端末４１ａの直径の１〜３倍程度低いことが好ましく、２倍程度低いことが更に好ましい。
【００４７】
図８は、トランス１０Ａを底面側から見た状態を示す底面図である。図８に示すように、隅部６５１ｂは、Ｅ形コア２０から離れるように設けられている。しかも、ガイド溝部６５１は、隅部６５１ｂからＹ１側に向かうにつれて、Ｘ方向の両端側に向かうように設けられている。そのため、ガイド溝部６５１にスタート端末４１ａ等の導線４１が位置しても、その導線４１は、Ｅ形コア２０に対して絶縁距離以上に離間させることが可能となっている。
【００４８】
以上のような構成を有するトランス１０Ａにおいては、一次巻線４０を形成する場合、スタート端末４１ａは、スリット部６７を介して巻枠部６６に導入されるが、一次巻線４０を形成した後には、スタート端末４１ａは中筒部６３とガイド壁面６８ａの境界付近に位置する状態となる。また、スリット部６７に位置するスタート端末４１ａは、隅部６５１ｂを介してガイド溝部６５１に導入されているが、そのスタート端末４１ａは、傾斜部６５２を通過後にＹ１側の端子部材７０に絡げられている。なお、端子部材７０へのスタート端末４１ａの絡げを行うのは、一次巻線４０の形成前でも良く、一次巻線４０を形成した後でも良い。
【００４９】
ここで、スリット部６７に位置するスタート端末４１ａが緩んだとしても、スタート端末４１ａは、ガイド壁面６８ａにより、このガイド壁面６８ａよりも下方側に向かうのが防止される。そのため、スタート端末４１ａをコア中脚部２２から離間させることを可能としている。また、スリット部６７においてスタート端末４１ａが緩んだとしても、スタート端末４１ａが二次巻線５０に近づくのが防止される。
【００５０】
なお、スタート端末４１ａが緩んでいなく、そのスタート端末４１ａにテンションが付与されている状態では、スタート端末４１ａは、隅部６５１ｂと、中筒部６３とガイド壁面６８ａの境界付近との間に亘って存在するが、この場合、スタート端末４１ａがガイド壁面６８ａにさほど接触しない状態となっている。
【００５１】
＜効果について＞
以上のような構成を有するトランスボビン６０Ａおよびこのトランスボビン６０Ａを用いるトランス１０Ａによると、トランスボビン６０Ａにはスリット部６７が設けられていて、そのスリット部６７には、中筒部６３側の方が、それとは逆の側（外側）よりも上方側（Ｚ１側）に位置しているガイド壁面６８ａが設けられている。そのため、一次巻線４０のスタート端末４１ａは、ガイド壁面６８ａによって支持され、それによって、スタート端末４１ａがコア中脚部２２に近づくのを防止可能となる。特に、スタート端末４１ａが緩んだままの状態であっても、ガイド壁面６８ａによってスタート端末４１ａがコア中脚部２２に近づくのが防止されるので、スタート端末４１ａがコア中脚部２２に近づいて配置される場合のような、放電等の不具合が生じるのを防止可能となる。
【００５２】
また、本実施の形態では、ガイド壁面６８ａは、下鍔部６２よりも実装基板側（下側；Ｚ２側）に突出しているガイド壁部６８に設けられている。それにより、ガイド壁部６８の斜面長さを大きく取ることが可能となり、コア中脚部２２からスタート端末４１ａを良好に離間させることができる。
【００５３】
さらに、本実施の形態では、端子台部６５の下面側には、上方に向かって窪んだガイド溝部６５１が設けられている。このため、スタート端末４１ａは、端子部材７０からガイド壁面６８ａを経て巻枠部６６へと良好にガイドすることが可能となる。
【００５４】
また、本実施の形態では、ガイド壁面６８ａのうち外側の端部（外端部）は、ガイド溝部６５１の溝底面６５１ａよりも下方側（Ｚ２側）に位置している。このため、ガイド溝部６５１から導出されるスタート端末４１ａは、ガイド壁面６８ａに近接させた状態でスリット部６７に入り込ませることが可能となる。
【００５５】
加えて、ガイド壁部６８のうち中筒部６３から離間する外側には、上下方向（Ｚ方向）に延伸する外側ストレート壁面６８ｂが設けられている。さらに、外側ストレート壁面６８ｂの上端側の位置は、ガイド溝部６５１の溝底面６５１ａの位置よりも、下方側に位置すると共に、外側ストレート壁面６８ｂのＸ方向の位置は、ガイド溝部６５１のうちスリット部６７に面しかつ中筒部６３側の隅部６５１ｂの位置よりも、中筒部６３側に位置している。このため、スタート端末４１ａは、隅部６５１ｂ付近で比較的緩やかに曲げる構成とすることができる。そのため、たとえば外側ストレート壁面６８ｂの上端側の高さ位置が溝底面６５１ａの高さ位置よりも高い構成等と比較して、スタート端末４１ａに急激な折り曲げ箇所が形成されるのを防ぐことができ、スタート端末４１ａの断線等が生じるのを防止可能となる。
【００５６】
また、外側ストレート壁面６８ｂを設けることにより、導線４１と実装基板との間の距離を離間させることができる。それにより、トランス１０Ａと実装基板との間で、絶縁性を高めることができる。また、外側ストレート壁面６８ｂが存在しない構成と比較すると、ガイド壁部６８に鋭角的な部位が形成されるのを防止可能となる。それにより、スタート端末４１ａが鋭角的な部位に接触して、断線したり絶縁被膜が剥がれてしまうのを防止可能となる。また、外側ストレート壁面６８ｂの存在により、折れ易い鋭角的な部位が形成されるのを防止可能となる。さらに、樹脂を用いた成型時には、金型内部に位置する雄型スライダが抜け易くなり、成型を行い易くなる。
【００５７】
また、本実施の形態では、外側ストレート壁面６８ｂのうち上端側の位置と、溝底面６５１ａの位置との間の上下方向の距離は、導線４１の直径の１〜３倍に設けることもできる。このように構成する場合には、ガイド溝部６５１を通ったスタート端末４１ａを、一層容易にスリット部６７に導出させることが可能となる。また、スタート端末４１ａに急激な角度で折り曲げる部位が形成されるのを防止可能となる。
【００５８】
（第２の実施の形態）
以下、本発明の第２の実施の形態に係るトランス１０Ｂおよびトランスボビン６０Ｂについて説明する。なお、本実施の形態では、上述した第１の実施の形態におけるトランス１０Ａおよびトランスボビン６０Ａと同様の構成となる部分については、同一の符号を用いると共に、説明を省略するものとする。
【００５９】
図９は、第２の実施の形態に係るトランス１０Ｂの構成を示す側面断面図である。なお、図９では、導線４１（スタート端末４１ａを含む）の図示は省略している。この図９に示すように、本実施の形態では、トランスボビン６０Ｂの構成が若干相違している。具体的には、トランスボビン６０Ｂのうちスリット部６７には、内側ストレート壁面６９が設けられている。内側ストレート壁面６９は、ガイド壁面６８ａの内側端部（中筒部６３側の端部）から上方に向かって延伸している部分であり、中筒部６３の外面に沿う部分である。
【００６０】
なお、本実施の形態のトランスボビン６０Ｂにおけるガイド壁面６８ａは、第１の実施の形態のトランスボビン６０Ａにおけるガイド壁面６８ａよりも、傾斜角度が緩やかとなっている。しかしながら、両者の傾斜角度が同等となるように構成しても良い。
【００６１】
このような内側ストレート壁面６９をトランスボビン６０Ｂに設けることにより、本実施の形態のガイド壁面６８ａは、第１の実施の形態におけるガイド壁面６８ａよりも、下方側に位置する状態となる。そのため、本実施の形態では、一次巻線４０から延出しているスタート端末４１ａと、二次巻線５０との間の距離が、第１の実施の形態の構成におけるスタート端末４１ａと、二次巻線５０との間の距離よりも大きく確保することができ、スタート端末４１ａと二次巻線５０との間の絶縁性を、一層向上させることができる。
【００６２】
＜変形例＞
以上、本発明の一実施の形態について説明したが、本発明はこれ以外にも種々変形可能となっている。以下、それについて述べる。
【００６３】
上述の実施の形態では、スリット部６７のうち端子台部６５よりも外側は、開放して設けられている。すなわち、スリット部６７は、外側から突っ切った形状に設けられている。しかしながら、スリット部６７の外側が、外部から閉塞された構成としても良い。この場合でも、端子台部６５の内側にスリット部６７が存在し、このスリット部６７がガイド溝部６５１と連通していれば、上述したトランスボビン６０Ａ，６０Ｂと同様の作用効果を生じさせることができる。
【００６４】
また、上述の実施の形態では、ガイド壁面６８ａは、テーパ状かつ平面状に設けられているものについて説明している。しかしながら、ガイド壁面６８ａは、テーパ状かつ平面状には限られない。たとえば、ガイド壁面６８ａは、曲面形状であっても良く、また隅部がＲ面状に形成された段形状であっても良い。
【００６５】
また、上述の実施の形態では、端子台部６５は、下鍔部６２と一体的に設けられている。しかしながら、端子台部６５は、下鍔部６２と別体的に設ける構成を採用しても良い。
【００６６】
また、上述の実施の形態では、コアとして、Ｅ形コア２０および蓋コア３０を用いる構成（ＥＩ形）について説明している。しかしながら、本発明に用いられるコアは、これらには限られない。たとえば、２つのＥ形コアを用いても良く、その他の形状のコアを適宜組み合わせて用いても良い。
【００６７】
また、上述の実施の形態では、一次巻線４０が巻枠部６６の内径側に位置し、二次巻線５０が巻枠部６６の外径側に位置した構成となっている。しかしながら、二次巻線５０が巻枠部６６の内径側に位置し、一次巻線４０が巻枠部６６の外径側に位置する構成を採用しても良い。この場合、スタート端末４１ａは、二次巻線５０を構成する導線４１の端末となる。
【符号の説明】
【００６８】
１０Ａ，１０Ｂ…トランス、２０…Ｅ形コア、２１…コア底部、２２…コア中脚部（コア部に対応）、２３…コア端面部、２４…切欠部、３０…蓋コア、４０…一次巻線、４１…導線、４１ａ…スタート端末、５０…二次巻線、６０Ａ，６０Ｂ…トランスボビン、６１…上鍔部、６２…下鍔部、６３…中筒部、６３ａ…挿通孔、６４…上方掛止部、６５…端子台部、６６…巻枠部、６７…スリット部、６８…ガイド壁部、６８ａ…ガイド壁面、６８ｂ…外側ストレート壁面、６９…内側ストレート壁面、７０…端子部材、７１…実装端子部、６５１…ガイド溝部、６５１ａ…溝底面、６５１ｂ…隅部、６５２…傾斜部
【図１】
2015220269.tif 000003
【図２】
2015220269.tif 000004
【図３】
2015220269.tif 000005
【図４】
2015220269.tif 000006
【図５】
2015220269.tif 000007
【図６】
2015220269.tif 000008
【図７】
2015220269.tif 000009
【図８】
2015220269.tif 000010
【図９】
2015220269.tif 000011